(57)【要約】【課題】携帯情報端末装置において、小型化を図りつつ、変倍光学系を含むカメラユニットを設ける。【解決手段】操作釦１１が配置された本体１０、表示部２１が配置された蓋体２０、蓋体２０を本体１０に対して開閉自在に連結する一対のヒンジ部２３、被写体を撮影するための光学系及び撮像素子を含むカメラユニット５０を備え、カメラユニット５０は、一対のヒンジ部２３の間において、本体１０の一部をなす筒状部１２に設けられている。このように、一対のヒンジ部２３の間に位置する本体１０の一部を画定する筒状部１２にカメラユニット５０を設けることにより、ヒンジ部２３の機械的強度を確保し又ヒンジ部２３の小型化を行いつつ、全長の長い光学系をもつカメラユニット５０でも確実に配置することができる。【選択図】  図１
2004170558.tif 000002
【特許請求の範囲】
【請求項１】
操作釦が配置された本体と、表示部が配置された蓋体と、前記蓋体を前記本体に対して開閉自在に連結する一対のヒンジ部と、被写体を撮影するための光学系及び撮像素子を含むカメラユニットと、を備えた携帯情報端末装置であって、
前記カメラユニットは、前記一対のヒンジ部の間において、前記本体又は蓋体の一部をなす筒状部に設けられている、
【請求項２】
前記カメラユニットは、撮影光軸の方向を略直角な方向でかつ前記一対のヒンジ部の軸線と略平行な方向に変更させて前記撮像素子に導くためのプリズム又はミラーからなる変更要素を含む、
ことを特徴とする携帯情報端末装置。
【請求項３】
前記カメラユニットの光学系は、被写体の倍率を可変にする変倍光学系である、
ことを特徴とする請求項２に記載の携帯情報端末装置。
【請求項４】
前記カメラユニットは、前記変倍光学系の変倍調整を手動により操作する操作部を有する、
ことを特徴とする請求項３記載の携帯情報端末装置。
【請求項５】
前記カメラユニットは、前記光学系、撮像素子、変更要素を収容するユニットケースを有し、
前記ユニットケースは、前記筒状部において、前記一対のヒンジ部の軸線回りに回動自在に設けられている、
ことを特徴とする請求項１ないし４いずれかに記載の携帯情報端末装置。
【発明の詳細な説明】
【０００１】
【発明の属する技術分野】
本発明は、携帯電話機あるいは携帯型パーソナルコンピュータ等の携帯情報端末装置に関し、特に、操作者あるいは周辺の風景等を撮影可能なカメラユニットを備えた携帯情報端末装置に関する。
【０００２】
【従来の技術】
近年において、画像信号を送受信できる携帯電話機あるいは携帯型パーソナルコンピュータ等の携帯情報端末装置が開発されている。例えば、カメラユニットを搭載した携帯電話機としては、種々の操作を行う操作釦が配置された本体、種々の情報を表示する表示部（液晶モニター）が配置された蓋体、蓋体を本体に対して開閉自在に連結する一対のヒンジ部、ヒンジ部の内部空間に配置されたカメラユニット等を備えたものが知られている（例えば、特許文献１参照）。
【０００３】
また、カメラユニットを搭載した他の携帯電話機としては、操作釦が配置された本体、表示部（液晶モニター）が配置された蓋体、蓋体を本体に開閉自在に連結する一つのヒンジ部、一つのヒンジ部の外側面に回動自在に連結された別個の部品としてのカメラユニット等を備えたものが知られている（例えば、特許文献２参照）。
【０００４】
【特許文献１】
特開２００２−２９０５２３号公報
【特許文献２】
特開平１１−０６９２１４号公報
【０００５】
【発明が解決しようとする課題】
ところで、上記従来の携帯情報端末装置（携帯電話機）において、カメラユニットがヒンジ部の内部空間に配置される構成では、一般的なヒンジ部の内部空間は非常に狭いため、光学系、撮像素子、あるいは変倍機構等を含むカメラユニットを収容するのは実質的に困難であり、一方、カメラユニットをヒンジ部の内部空間に収容するには特別にヒンジ部の輪郭を大きくする必要がある。
また、カメラユニットが一つのヒンジ部の外側面において別個の部品として回動自在に連結される構成では、ヒンジ部の連結が強度的に不十分になり、又、一対のヒンジ部を設けその外側面にカメラユニットを連結する構成とすると、ヒンジ部の軸線方向においてカメラユニットを幅狭くする必要があり、光学系の全長が比較的に長いカメラユニットを採用することができない。
【０００６】
本発明は、上記の問題的に鑑みて成されたものであり、その目的とするところは、ヒンジ部の機械的強度を確保すると同時にその小型化、装置全体の小型化を図り、光学系の全長が比較的に長いカメラユニットであっても確実に配置できる携帯情報端末装置を提供することにある。
【０００７】
【課題を解決するための手段】
本発明の携帯情報端末装置は、操作釦が配置された本体と、表示部が配置された蓋体と、蓋体を本体に対して開閉自在に連結する一対のヒンジ部と、被写体を撮影するための光学系及び撮像素子を含むカメラユニットと、を備えた携帯情報端末装置であって、上記カメラユニットは、一対のヒンジ部の間において、本体又は蓋体の一部をなす筒状部に設けられている、ことを特徴としている。
この構成によれば、ヒンジ部の内部空間あるいはヒンジ部の一側面領域ではなく、一対のヒンジ部の間に位置する本体又は蓋体の一部を画定する筒状部にカメラユニットを設けることにより、ヒンジ部の機械的強度を確保し又ヒンジ部の小型化を行いつつ、カメラユニットを確実に配置することができる。
【０００８】
上記構成において、カメラユニットは、撮影光軸の方向を略直角な方向でかつ一対のヒンジ部の軸線と略平行な方向に変更させて撮像素子に導くためのプリズム又はミラーからなる変更要素を含む、構成を採用できる。
この構成によれば、被写体光は、変更要素に入射してヒンジ部の軸線と略平行な方向に進行方向が変更された後、撮像素子に入射する。このように、比較的全長の長い光学系を含むカメラユニットであっても、装置を突出した輪郭とすることなく一対のヒンジ部の間に確実に配置することができ、装置を小型化できる。
【０００９】
上記構成において、カメラユニットの光学系は、被写体の倍率を可変にする変倍光学系である、構成を採用できる。
この構成によれば、光学系が変倍光学系であるため、広角〜望遠の範囲で適宜倍率を変えて被写体を撮影することができる。
【００１０】
上記構成において、カメラユニットは、変倍光学系の変倍調整を手動により操作する操作部を有する、構成を採用できる。
この構成によれば、操作者が手動により操作部を操作することで、所望の倍率に適宜変倍調整を行いつつ、被写体の撮影を行える。
【００１１】
上記構成において、カメラユニットは、光学系、撮像素子、変更要素を収容するユニットケースを有し、このユニットケースは、筒状部において、一対のヒンジ部の軸線回りに回動自在に設けられている、構成を採用できる。
この構成によれば、被写体光が入る向き（撮影方向）を適宜変更できるため、その撮影窓が操作者側に向くようにすれば操作者自らを撮影でき、一方、撮影窓が反対側（外側）を向くようにすれば周辺の風景等を撮影できる。
【００１２】
【発明の実施の形態】
以下、本発明の実施の形態について、添付図面を参照しつつ説明する。
図１ないし図７は、本発明に係る携帯情報端末装置の一実施形態として携帯電話機を示すものであり、図１は正面側から見た外観斜視図、図２は背面側から見た外観斜視図、図３は分解斜視図、図４ないし図７はカメラユニットの断面図である。
【００１３】
この携帯電話機は、図１に示すように、種々の操作釦１１が配置された本体１０と、種々の情報を表示する表示部（液晶モニター）２１及びアンテナ２２が配置された蓋体２０とにより、全体の輪郭が形成されている。蓋体２０は、本体１０に対して一対のヒンジ部２３により軸線Ｓ回りに回動自在に連結されて、使用時には蓋体２０を開け、非使用時には蓋体２０を閉じるようになっている。
【００１４】
すなわち、本体１０には、図１ないし図３に示すように、操作釦１１が配列された表面から上方に略畝状に突出する筒状部１２が形成され、筒状部１２の両端には、軸受穴１２ａが形成されている。筒状部１２は、内部が空洞になっており、その内部にカメラユニット５０が設けられている。蓋体２０には、両端において一対のヒンジ部２３が形成されている。
【００１５】
そして、一対のヒンジ部２３は、本体１０の筒状部１２を挟み込むように配置されて、その嵌合孔２３ａ及び軸受穴１２ａを挿通するように２つの支軸３０が嵌合されている。これにより、蓋体２０は本体１０に対して軸線Ｓ回りに回動自在（開閉自在）に連結されている。
ここで、ヒンジ部２３及び支軸３０並びに軸受穴１２ａの相互の接触領域には、蓋体２０に設けられた表示部２１及びアンテナ２２と本体１０内に設けられた電源及び制御回路等とを電気的に接続する配線が形成されている。
【００１６】
このように、蓋体２０は、その両端に形成された一対のヒンジ部２３により本体１０に連結されているため、連結部の機械的強度が確保され、又、一対のヒンジ部２３が筒状部１２を挟むように両端に位置するため、安定した開閉動作が可能となる。また、本体１０の一部をなす筒状部１２は、お互いに最も離隔した一対のヒンジ部２３の間に位置するように形成されているため、比較的大きな空間部を画定することができ、比較的全長の長い光学系をもちかつ外輪郭が比較的大きいカメラユニットであっても筒状部１２の内部に容易に配置される。
【００１７】
また、筒状部１２には、図１に示すように、後述するカメラユニット５０のレンズ（撮影窓）５１ａを露出させる開口１２ｂ、操作部５８ｃを突出させる長孔１２ｃが形成され、又、カメラユニット５０での撮影操作を行うためのシャッタ釦４０が配置されている。
【００１８】
カメラユニット５０は、図４ないし図７に示すように、変更要素及び光学系を含む光学ユニット５０ａと、撮像素子等を含む撮像ユニット５０ｂとにより形成されている。光学ユニット５０ａは、図４ないし図７に示すように、ユニットケース５１、ユニットケース５１内に収容された撮影窓としてのレンズ５１ａ、変更要素としてのプリズム５２、第１レンズ群５３及び第２レンズ群５４、第１レンズ群５３と第２レンズ群５４とをそれぞれ光軸方向Ｌ２に往復動自在に案内するガイドシャフト５５，５６、第１レンズ群５３及び第２レンズ群５４の回転を規制する回転規制シャフト５７、第１レンズ群５３及び第２レンズ群５４を光軸方向Ｌ２の所定の位置に移動させるカム部材５８等により形成されている。
【００１９】
プリズム５２は、三角柱をなす三角プリズムであり、被写体光の中心光線で表すと、その入射光線Ｌ１を直角な光軸方向Ｌ２に変更させて、第１レンズ群５３及び第２レンズ群５４並びに後述するＣＣＤ６２に向けて射出する。すなわち、撮影光軸の方向（被写体光の進行方向）を略直角な方向でかつ一対のヒンジ部２３の軸線Ｓと略平行な方向に変更させてＣＣＤ６２に導くものである。
また、プリズム５２は、図６に示すように、入射光軸Ｌ１と射出光軸Ｌ２とを含む面に垂直な方向Ｖに長尺な入射面５２ａ及び射出面５２ｂをもつように形成されている。これにより、通常の操作において、携帯電話機を上下方向に持って撮影する際に、上下方向に長尺な被写体（例えば、直立した人物）等を効率良く画枠に収めて撮影することができる。
【００２０】
カム部材５８は、図６に示すように、断面が円弧状をなすように形成され、その内周面には、第１レンズ群５３にカム作用を及ぼす第１カム溝５８ａと第２レンズ群５４にカム作用を及ぼす第２カム溝５８ｂとが形成され、その外周面には、手動操作を行うための突出した操作部５８ｃが形成されている。
そして、操作部５８ｃは、図１及び図３に示すように、ユニットケース５１の長孔５１ｃ及び筒状部１２の長孔１２ｃから外部に突出している。したがって、操作者が、手動により操作部５８ｃを揺動させることで、カム部材５８が所定の角度範囲を往復動して第１レンズ群５３及び第２レンズ群５４にカム作用を及ぼし、広角〜望遠の範囲で撮影を行うための変倍調整が行われる。
【００２１】
第１レンズ群５３は、図４、図５、図６（ａ）に示すように、略矩形の輪郭をなす両凹レンズＧ１、両凹レンズＧ１を保持するレンズ枠５３ａとにより形成されている。レンズ枠５３ａは、ガイドシャフト５５に外嵌される連結部５３ｂ、回転規制シャフト５７に係合されるＵ字部５３ｃ、カム部材５８の第１カム溝５８ａに挿入されて案内される第１フォロワ５３ｄ等を備えている。
【００２２】
第２レンズ群５４は、図４、図５、図６（ｂ）に示すように、略矩形の輪郭をなす両凸レンズＧ２、両凸レンズＧ２を保持するレンズ枠５４ａとにより形成されている。レンズ枠５４ａは、ガイドシャフト５６に外嵌される連結部５４ｂ、回転規制シャフト５７に係合されるＵ字部５４ｃ、カム部材５８の第２カム溝５８ｂに挿入されて案内される第２フォロワ５４ｄ等を備えている。
【００２３】
撮像ユニット５０ｂは、図４ないし図７に示すように、ユニットケース５１に連結されてユニットケース５１の一部をなす保持部材５９、保持部材５９に保持されたローパスフィルタ６０、フェースプレート６１、撮像素子としてのＣＣＤ６２、回路基板６３等により形成されている。
【００２４】
光学ユニット５０ａと撮像ユニット５０ｂとは、それぞれ別個に組み立てられた後に組み付けられるものであり、お互いに組み付けられた状態で、光軸方向Ｌ２における相対的な位置が調整されるようになっている。すなわち、ユニットケース５１には、図６及び図７に示すように、ガイドシャフト６４が嵌合されるフランジ５１ｄ、調整ネジ６５が螺合される雌ネジ５１ｅ´を有するフランジ５１ｅが一体的に形成されている。一方、保持部材５９には、図７に示すように、調整ネジ６５が挿入される貫通孔５９ａ´を有するフランジ５９ａ、ガイドシャフト６４が挿入される貫通孔５９ｂ´を有するフランジ５９ｂが一体的に形成されている。
【００２５】
そして、貫通孔５９ｂ´にガイドシャフト６４が通され、保持部材５９の矩形突出部５９ｃがユニットケース５１の開口部５１ｂに通され、フランジ５１ｅとフランジ５９ａとの間にスプリング６６を圧縮した状態で配置し、調整ネジ６５が雌ネジ５１ｅ´に螺合されると、光学ユニット５０ａと撮像ユニット５０ｂとが連結されると共に、調整ネジ６５のねじ込み量を適宜調整することで、第１レンズ群５３及び第２レンズ群５４とＣＣＤ６２との相対的な距離が微調整される。この微調整により、ＣＣＤ６２に対する焦点合わせ等の初期調整を行うことができる。
【００２６】
上記の構成をなすカメラユニット５０は、その伸長方向すなわちプリズム５２を通過した射出光の光軸方向Ｌ２が筒状部１２の軸線すなわちヒンジ部２３の軸線Ｓと平行となるように配置されている。したがって、比較的光軸の長い変倍光学系を含むカメラユニット５０であっても、装置に突出した輪郭を設けることなくヒンジ部２３の間に位置する筒状部１２の輪郭の範囲内に容易に収容でき、装置の小型化を達成しつつ変倍光学系を採用することができる。
また、カメラユニット５０は本体１０の一部をなす筒状部１２の内部に配置されるため、回路基板６３と本体１０内の制御回路等との電気的配線を容易に行える。
【００２７】
次に、上記携帯電話機の操作について説明する。先ず、蓋体２０が閉じられた状態から、蓋体２０を図１に示すように開くと、筒状部１２に配置された撮影窓（レンズ）５１ａ、操作部５８ｃ、シャッタ釦４０が露出する。
この状態で、操作釦１１の一つを操作してカメラユニット５０（ＣＣＤ６２）のスイッチをＯＮにすると、撮影窓５１ａの前方にある操作者等からの被写体光が、撮影窓５１ａから入射し、その進行方向がプリズム５２により変更される。そして、進行方向が変更された射出光は、第１レンズ群５３及び第２レンズ群５４を経て、ＣＣＤ６２の撮像面に達する。
【００２８】
そして、ＣＣＤ６２により撮影された画像は、所定の画像処理がなされ、表示部（液晶モニター）２１に表示される。ここで、操作者が、手動により操作部５８ｃを移動させてカム部材５８の位置を調整し、図４に示すように第１レンズ群５３及び第２レンズ群５４をお互いに離隔した位置に位置付けると、被写体の広角撮影が行われて表示部２１に広角画像が表示され、一方、図５に示すように第１レンズ群５３及び第２レンズ群５４をお互いに近接した位置に位置付けると、望遠撮影が行われて表示部２１に望遠画像が表示される。
【００２９】
したがって、操作者は、表示部２１でこれらの撮影画像を確認しながら撮影倍率を適宜調整し、所望倍率の画像に調整できた時点で、シャッタ釦４０を押してシャッタ操作を行い、記憶部に撮影画像を保存し、あるいは、送信操作を行って通信相手に撮影画像を送信することができる。
【００３０】
上記のように、変倍光学系による変倍調整は操作者の手動操作により行われるため、カメラユニット５０は、モータ等により変倍駆動する場合に比べて、電力の消費もなく、構造も簡略化され、全体として装置が小型化される。
特に、変倍光学系を含むカメラユニット５０が、一対のヒンジ部２３の間に位置する本体１０の筒状部１２に配置されているため、比較的に大きな配置スペースを要するカメラユニット５０であっても容易に配置することができ、デザイン的にも優れ、又、携帯性にも優れ、取り扱い上便利である。
【００３１】
図８及び図９は、携帯情報端末装置（携帯電話機）の他の実施形態を示すものであり、前述の実施形態と同一の構成については同一の符号を付してその説明を省略する。この携帯電話機においては、一対のヒンジ部２３の間に位置する本体１０´の筒状部１２´に対して、カメラユニット５０が軸線Ｓ回りに回動自在に設けられている。
【００３２】
すなわち、筒状部１２´には、図８及び図９に示すように、円弧状に伸長した長孔１２ｂ´及び長孔１２ｃ´が形成されている。そして、長孔１２ｂ´から撮影窓（レンズ）５１ａが露出し、長孔１２ｃ´から操作部５８ｃが突出している。カメラユニット５０のユニットケース５１は、筒状部１２´の内壁に回動自在に支持されると共に、軸線Ｓ回りにおいて複数設定された角度位置に適宜位置決めされるようになっている。
【００３３】
例えば、図８にて二点鎖線で示す位置に撮影窓（レンズ）５１ａがある状態から、操作者が、ユニットケース５１の露出した部分に指を押し付けてあるいは操作部５８ｃを押して、図９に示すように撮影窓（レンズ）５１ａが反対側（外側）を向くようにユニットケース５１を軸線Ｓ回りに回転させると、所定の角度回転したところで、位置決め機構により位置決めされて停止する。
ここで、位置決め機構としては、ユニットケース５１に対して外周面に凹凸をもつ円筒部を設け、又、筒状部１２´の内周面にも凹凸を設け、両者の凹凸が嵌合し合うことにより適宜位置決めされるようにすることができる。
【００３４】
このように、カメラユニット５０（ユニットケース５１）が軸線Ｓ回りに回動自在となっているため、撮影窓５１ａが操作者側を向くようにすれば操作者自らを撮影でき、撮影窓５１ａが反対側（外側）を向くようにすれば周辺の風景等を撮影できる。
【００３５】
上記実施形態においては、カメラユニット５０を配置する領域として、本体１０の一部をなす筒状部１２，１２´を示したが、これに限定されるものではなく、逆に本体に一対のヒンジ部を設けかつ蓋体に筒状部を設け、この蓋体の一部をなす筒状部にカメラユニット５０を配置する構成を採用してもよい。
上記実施形態においては、撮影光軸の方向（被写体光の進行方向）を変更させる変更要素として、プリズム５２を示したが、これに限定されるものではなく、ミラー等その他の要素を適用することができる。
【００３６】
上記実施形態においては、携帯情報端末装置として携帯電話機を示したが、これに限定されるものではなく、携帯型パーソナルコンピュータ等において本発明に係る構成を採用してもよい。
上記実施形態においては、光学系として第１レンズ群５３及び第２レンズ群５４を含む変倍光学系を示したが、これ以上のレンズ群を含む変倍光学系であってもよく、又、比較的に光軸の長い単焦点の光学系であっても、本発明に係る配置構造を採用できる。
【００３７】
上記実施形態においては、カメラユニット５０（ユニットケース５１）を軸線Ｓ回りに回動自在に設けるにあたり、筒状部１２´に長孔１２ｂ´，１２ｃ´を設けてユニットケース５１の一部が露出するようにして回動自在に支持したが、これに限定されるものではなく、ユニットケースを円筒状に形成し、このユニットケースの両端を筒状部１２´で回動自在に支持し、ユニットケースの外壁が筒状部の外壁と面一となるように形成した構成を採用してもよい。
上記実施形態においては、カメラユニット５０のシャッタ釦４０を、筒状部１２，１２´に配置した構成を示したが、これに限定されるものではなく、本体１０に配置された操作釦１１の一つをシャッタ釦として兼用してもよい。
【００３８】
【発明の効果】
以上述べたように、本発明の携帯情報端末装置によれば、操作釦が配置された本体に対して表示部が配置された蓋体を開閉自在に連結する一対のヒンジ部の間に、本体の一部をなす筒状部を設け、この筒状部にカメラユニットを配置したことにより、ヒンジ部の内部空間あるいはヒンジ部の一側面領域にカメラユニットを配置する場合に比べて、ヒンジ部の機械的強度を確保し又ヒンジ部の小型化を行いつつ、全長が比較的長い光学系をもつカメラユニットであっても確実に配置することができる。
【図面の簡単な説明】
【図１】本発明に係る携帯情報端末装置の一実施形態を示すものであり、携帯電話機を正面側から見た外観斜視図である。
【図２】本発明に係る携帯情報端末装置の一実施形態を示すものであり、携帯電話機を背面側から見た外観斜視図である。
【図３】携帯電話機を蓋体と本体とに分離した分解斜視図である。
【図４】光学系が広角撮影位置にある状態を示すカメラユニットの断面図である。
【図５】光学系が望遠撮影位置にある状態を示すカメラユニットの断面図である。
【図６】（ａ），（ｂ）は光軸を横切る面でのカメラユニットの断面図である。
【図７】撮影光軸方向から見たカメラユニットの断面図である。
【図８】本発明に係る携帯情報端末装置の他の実施形態を示すものであり、携帯電話機を正面側から見た外観斜視図である。
【図９】本発明に係る携帯情報端末装置の他の実施形態を示すものであり、携帯電話機を背面側から見た外観斜視図である。
【符号の説明】
１０，１０´  本体
１１  操作釦
１２，１２´  筒状部
１２ａ  軸受穴
１２ｂ  開口
１２ｂ´，１２ｃ，１２ｃ´  長孔
２０  蓋体
２１  表示部
２２  アンテナ
２３  一対のヒンジ部
３０  支軸
４０  シャッタ釦
５０  カメラユニット
５１  ユニットケース
５１ａ  レンズ（撮影窓）
５２  プリズム（変更要素）
５３  第１レンズ群（変倍光学系）
５４  第２レンズ群（変倍光学系）
５８ｃ  操作部
６２  ＣＣＤ（撮像素子）
Ｓ  軸線
Ｌ１  被写体光の光軸方向（撮影光軸の方向）
Ｌ２  変更された射出光の光軸方向
【図１】
2004170558.tif 000003
【図２】
2004170558.tif 000004
【図３】
2004170558.tif 000005
【図４】
2004170558.tif 000006
【図５】
2004170558.tif 000007
【図６】
2004170558.tif 000008
【図７】
2004170558.tif 000009
【図８】
2004170558.tif 000010
【図９】
2004170558.tif 000011
【手続補正書】
【提出日】平成15年2月4日(2003.2.4)
【手続補正１】
【補正対象書類名】明細書
【補正対象項目名】請求項１
【補正方法】変更
【補正の内容】
【請求項１】
操作釦が配置された本体と、表示部が配置された蓋体と、前記蓋体を前記本体に対して開閉自在に連結する一対のヒンジ部と、被写体を撮影するための光学系及び撮像素子を含むカメラユニットと、を備えた携帯情報端末装置であって、
前記カメラユニットは、前記一対のヒンジ部の間において、前記本体又は蓋体の一部をなす筒状部に設けられている、
ことを特徴とする携帯情報端末装置。
【手続補正２】
【補正対象書類名】明細書
【補正対象項目名】請求項２
【補正方法】変更
【補正の内容】
【請求項２】
前記カメラユニットは、撮影光軸の方向を略直角な方向でかつ前記一対のヒンジ部の軸線と略平行な方向に変更させて前記撮像素子に導くためのプリズム又はミラーからなる変更要素を含む、
ことを特徴とする請求項１記載の携帯情報端末装置。